(57)【要約】      （修正有）【課題】脚部を折畳み可能にするとともに延長可能にし、かつ、内外脚を嵌着させる際の間隙を減少させることによって”ガタつき”及び天板の揺れを無くし、そして、天板を高く調節できるようにした折畳みテーブルを提供する。【解決手段】天板１の裏側の四隅部に、基脚５を折畳み又は起立可能に設け、かつ、夫々の前記基脚に延長脚９が連結される折畳みテーブルＤにおいて、前記基脚は中空パイプ材からなり、外周側の前記基脚の空洞部に内周側の前記延長脚が摺動自在に嵌着され、かつ、前記基脚にロックピン６を設けるとともに、このロックピンによって前記延長脚が前記基脚に固定される折畳みテーブルを構成する。さらに、前記基脚と前記延長脚との間隙にスペーサＭを挿着し、左右の前後基脚間に夫々脚連結材５６を設けるとともに、これらの脚連結材の間に梁１０を架設する。【選択図】図２
0003159914.tif 000002
【実用新案登録請求の範囲】
【請求項１】
天板の裏側の四隅部に、基脚を折畳み又は起立可能に設け、
かつ、夫々の前記基脚に延長脚が連結される折畳みテーブルにおいて、
前記基脚は中空パイプ材からなり、
外周側の前記基脚の空洞部に内周側の前記延長脚が摺動自在に嵌着され、
かつ、前記基脚にロックピンを設けるとともに、
このロックピンによって前記延長脚が前記基脚に固定される折畳みテーブルであって、
前記基脚と前記延長脚との間隙にスペーサを挿着し、
左右の前後基脚間に夫々脚連結材を設けるとともに、
これらの脚連結材の間に梁を架設することを特徴とする折畳みテーブル。
【請求項２】
前記天板の裏側に桁を設け、
この桁と前記基脚に夫々ピンジョイントを設けることによって、
前記桁と前記基脚との間にリンク機構からなるステーを回動自在に架設し、
かつ、前記基脚に固定板を固着し、
この固定板に前記ピンジョイントを固設することを特徴とする請求項１記載の折畳みテーブル。
【請求項３】
前記スペーサは樹脂からなることを特徴とする請求項１記載の折畳みテーブル。
【考案の詳細な説明】
【技術分野】
【０００１】
この考案は、机の高さを調節可能にするとともに脚部を折畳み可能にし、かつ、脚部の”ガタつき”とともに天板の揺れを無くした折畳みテーブルに関する。詳しくは、脚の伸縮部において、外周の基脚と内周の延長脚との嵌合間隙にスペーサを挿着することによって”ガタつき”を極力減少させ、天板の揺れを無くしてＪＩＳ規格を満足するようにした折畳みテーブル関する。
【背景技術】
【０００２】
従来、事務机、座卓や経机等は通常は天板裏面に長さが固定した脚が設けられており、立ち机又は座り机として専用されている。しかしながら、このような固定脚を有する机は使用時には座りが安定しているが、机を使用しないときには脚の長さの分大きな収納スペースを必要とする。かかる収納スペースを確保できない団地等では、机の他収容すべき物を収納することができなくなったり、居住空間が狭められたりする。あるいは、机の運搬通路が狭い場合、机の嵩張るため机の脚を壁等にぶつけて脚や壁を傷付けるようなこともある。
【０００３】
そこで脚を折畳む構造にし、かつ使用時には必要に応じて脚部の高さを伸縮させて天板の高さを調整する。ところで、この種の構造のものでは、脚部をスライドさせるために外周の基脚と中の延長脚との間に適度の隙間を設ける。そのため、隙間の分だけ脚部に”ガタつき”を生じ、曳いては天板が左右前後に揺れるので、筆記用の机として使用する場合は使い難い。
【０００４】
ところで、折畳みテーブルについては数々の構造のものが提案されており、本件出願人は脚部の高さを伸縮可能にした折畳みテーブルに関する考案を提案している（例えば、特許文献１参照）。この折畳みテーブルは、天板の裏側に四本の基脚を夫々折畳み又は起立可能に設けた折畳みテーブルであって、前記四本の基脚のほぼ先端部に夫々ロックピンを設け、これらのロックピンによって前記四本の基脚に夫々延長脚を連結することを特徴とする。また、同様に脚部の高さを伸縮可能にした折畳みテーブルに関し、一旦脚部の長さを調節し、固定した後は”ガタつき”が無く、しかも、天板の揺れの無い以下のような考案を提案している（例えば、特許文献２参照）この折畳みテーブルは、天板の裏面の四隅部に、基脚を起立又は折畳み可能に設け、かつ、前記基脚に延長脚が連結される折畳みテーブルであって、前記基脚は中空パイプ材からなり、前記基脚の中空部に前記延長脚が嵌入され、かつ、前記基脚のほぼ先端部にロックピンを設けるとともに、このロックピンによって前記延長脚が前記基脚に固設され、かつ、前記基脚の外周面に所定長の凹みが形成されることを特徴とする折畳みテーブルである。
【０００５】
【特許文献１】実用新案登録第３１４１１２９号公報
【特許文献２】実用新案登録第３１４２９６０号公報
【考案の開示】
【考案が解決しようとする課題】
【０００６】
以上の通りであって、特許文献１に代表されるように、従来の折り畳み机には次のような問題点がある。
【０００７】
問題点の第一に、従来の折畳みテーブルは脚部の長さが伸縮可能であるが、机の高さを調節した後、脚部の”ガタつき”によって天板が筆記中に揺れるので書き難い。この折畳み、かつ伸縮可能な机の構造の詳細は以下の通りである。四本の基脚に夫々延長脚を連結するものであり、この場合、基脚は中空パイプ材が使用されており、この基脚の空洞部に延長脚を嵌入して連結する構造なので、中空パイプ材からなる基脚における空洞部の内周面と中の延長脚の外周面との間に間隙が生じる。この間隙が大きければ延長脚を容易に伸縮できる反面、間隙が大きい分脚部に”ガタつき”が生じて天板が揺れる。一方、この間隙が小さい場合、”ガタつき”が無く机が揺れない半面、中の延長脚を摺動させ難い。即ち、この間隙は大きからず、小さからず程々の寸法のものを選択する規格の中空角パイプを使用するので適正な間隙寸法を得ることは困難である。そこで、前記基脚における所定長の凹みを設けることによって、この凹みの背面と前記延長脚の外周面との間の隙間を最適に設ける。それでも、天板の揺れを小さくするためには隙間を無くすが、一方延長脚を摺動させ難くなり凹みを設けることによる最適な隙間を得ることは困難である。また、天板の高さを調節するにあたり、高さ寸法に限界があった。
【０００８】
第二に、従来の折畳みテーブルは天板から下方の四本脚の間が開放されるのでカウンター等で使用する場合は中が丸見えとなり好ましくないので、四本脚の間の二方或いは三方を幕板で覆う。しかしながら、これらの四本脚は基本的には必要に応じて脚部間に取り付けて使用するので、構造的に取り付け或いは取り外しが容易に或いは瞬時にできるような構造ではない。
【０００９】
そこで、本考案の高さ調節可能な折畳みテーブルは、このような従来の抱える問題点を解決するためになされたもので、脚部を折畳み可能にするとともに延長可能にし、かつ、内外脚を嵌着させる際の間隙を減少させることによって”ガタつき”及び天板の揺れを無くし、そして、天板を高く調節できるようにした折畳みテーブルを提供することを目的としている。また、立脚した後天板の下方の脚間に幕板を着脱可能に設けることにより、幕板によって目隠しをし、かつ、幕板を取り外し可能にして折畳んで容易に収納できるようにした折畳みテーブルを提供することを目的としている。
【課題を解決するための手段】
【００１０】
そこで、本考案者は、外側の基脚の外周面を内側へ凹ませて内側の延長脚との間隙寸法を減少させるという金属同士、即ち剛体同士の隙間の形成には限界があるということに気付き、そのためにはこの隙間に金属より弾性を有する硬質樹脂製のスペーサを挿着させことへと着想へと展開し、これに基づき机を試作したところ脚部の”ガタつき”又は天板の揺れの少ない机が得られるという知見を得た。本考案者の高さ調節可能な折畳みテーブルはかかる知見を基に具体化したもので、請求項１の考案は、天板の裏側の四隅部に、基脚を折畳み又は起立可能に設け、かつ、夫々の前記基脚に延長脚が連結される折畳みテーブルにおいて、前記基脚は中空パイプ材からなり、外周側の前記基脚の空洞部に内周側の前記延長脚が摺動自在に嵌着され、かつ、前記基脚にロックピンを設けるとともに、このロックピンによって前記延長脚が前記基脚に固定される折畳みテーブルであって、前記基脚と前記延長脚との間隙にスペーサを挿着し、左右の前後基脚間に夫々脚連結材を設けるとともに、これらの脚連結材の間に梁を架設することを特徴とする折畳みテーブルである。また、請求項２の考案は、請求項１の考案の上記特徴に加えて、前記天板の裏側に桁を設け、この桁と前記基脚に夫々ピンジョイントを設けることによって、前記桁と前記基脚との間にリンク機構からなるステーを回動自在に架設し、かつ、前記基脚に固定板を固着し、この固定板に前記ピンジョイントを固設することを特徴とする折畳みテーブルである。また、請求項３の考案は、請求項１の考案の上記特徴に加えて、前記スペーサは樹脂からなることを特徴とする折畳みテーブルである。
【考案の効果】
【００１１】
本考案の高さ調節可能な折畳みテーブルはワンタッチ操作のロックピンを基脚に設けることによって、一人作業でも脚部の長さを伸縮することが可能であり、使用目的に応じて机の高さを段階的に変えることができる。この場合、外周の基脚と内周の延長脚との間隙に樹脂製のスペーサを挿着し、かつ、脚間の左右長手方向に梁を架設したので、脚部の”ガタつき”が少なく、天板の揺れが無いので文字を書き易い。また、天板の下方に棚を吊るにあたり、基脚に固定板を強固に固着し、これにステーのピンジョイントの軸棒が基脚の中を貫通しないように固設したので、天板を高く調節できるようになった。また、折畳みテーブルを立脚して使用する場合は天板の下の脚間を幕板によって目隠しできるので、事務所や店頭等におけるカウンターとして使用する場合に外観上見栄えが良く好ましい。また、不使用時に、収納する際は幕板を取り外し可能であり、かつ、脚を折畳むことができるので、保管場所の確保が容易である。即ち、机から幕板を外し、かつ、脚を折畳んで嵩高を減らし、これらをコンパクトにまとめて収納し、或いは持ち運びが容易である。一方、カウンター机の経費節減のため、使用頻度の高い時期に合わせて、一時的にリースで借りるというニーズがあり、不使用時の机の保管場所を必要とせず、かつ、経費削減の効果も期待できる。
【考案を実施するための最良の形態】
【００１２】
本考案の実施の形態を、添付図面に示した本考案の実施例に基づいて以下に具体的に説明
する。
【実施例１】
【００１３】
先ず、本実施例について、図１〜図１０を参照しながら説明する。図１は、本考案の実施例１における高さ調節可能な折畳みテーブルの全体図で、脚部に幕板を装着した状態を示す折畳みテーブルの全体斜視図である。図２は、脚部から幕板を取り外した状態を示す折畳みテーブルを正面側から見た状態を示す全体斜視図及び基脚に延長脚を継ぎ足す状態を示す一部斜視図及び緩衝パッキンの取り付け状態を示す一部断面図である。図３は、天板表側から見た一部断面図である。図４は、側面側から見た斜視図及び棚の取付け状態を示す一部斜視図である。図５は、基脚に側面幕板を装着するための係止具を示す一部拡大斜視図である。図６は、正面幕板の裏面を示す斜視図及び一部拡大図である。図７は、側面幕板の裏面を示す斜視図及び一部斜視図である。図８は、内外脚の隙間にスペーサを挿着した状態を示す一部斜視図及び一部断面図である。図９は、ロックピンの詳細を示す部品図である。図１０は、ロックピンの作用を示す説明図である。
【００１４】
本実施例の高さ調節可能な折畳みテーブルの天板は脚の高さに比して比較的横幅が小さく、天板は長辺で１２００、１５００又は１８００ｍｍであり、短辺で４５０ｍｍ又は６００ｍｍの組合せが可能である。脚部を起立させ、幕板を装着した状態を図１に示すように、折畳みテーブルＤは、長方形の木製の化粧板からなる天板１を備え、正面に正面幕板７１を設け、これはほぼ矩形状の薄い木製の化粧板である。以下、折畳みテーブルＤは天板１の長辺に沿って左右方向と称し、短辺に沿って前後方向と称し、他の実施例についても同様である。正面幕板７１の長辺はほぼ天板１の長辺より僅かに短く、短辺寸法は天板１の下方を覆うスペースによって決まる。一方、左右に側面幕板７５、７５を示し、これらもほぼ矩形状の薄い木製化粧板である。側面幕板７５の短辺は、天板１の短辺より僅かに短く、長辺は天板１の下方を覆う高さスペースによって決まる。これらの正面幕板７１及び側面幕板７５は後述する係止具によって折畳みテーブルＤの本体側に夫々装着される。これ等幕板の四隅下方に延長脚９が覗く。
【００１５】
図２（ａ）には、脚部から幕板を取り外し、折畳みテーブルを正面側から見た状態を示す。天板１の裏面の四隅部に鉄製の基脚５を、天板１の裏側へ折畳み可能、かつ、起立可能に設けてある。そして、前後の基脚５、５の左右方向脚間の内側において、基脚５の下部に後述するスペーサＭ、Ｍを設ける。天板１の裏面において、長辺に沿って棒状鉄製のケタ２、２を、天板１に夫々一体的に固設する。これらのケタ２の左右両端近傍に、コの字部品５１、５１を備える。そして、基脚５を内側へ折り曲げ可能にコの字部品５１下端に可動点となるピンジョイント５２を設ける。基脚５の下方で前後の基脚５、５を前後方向で連結する脚連結材５６を水平に設ける。この左右の脚連結材５６、５６と交差するように左右方向に棒状の梁１０が架設され、この梁１０は折畳みテーブル長手方向の強度を補強し、天板１の揺れを減少させる作用をする。天板１の裏側下方には、棚４が桁２に支持され、ステー３を介して折り曲げ自在にリンク結合される。このリンク結合は回転或いはスライド可能に可動点となる複数のピンジョイントが設けられるが、詳細についてはステー３の動きとともに後述する。また、基脚５の下方に延長脚９を装着するためにロックピン６を設け、詳細については後述する。
【００１６】
天板１の裏側は、図３に示すように複数の細い棒からなる棚４が左右長手方向に延びる。この状態を側面側から見た棚４と天板１の関係を図４（ａ）に示し、上リンク３１と下リンク３２とからなるステー３のリンク機構の詳細を同図（ｂ）に示す。ケタ２と基脚５との間にリンク結合されたステー３が架設され、基脚５側のピンジョイント５３とケタ２側のピンジョイント２１及びこれらの間にピンジョイント３１、３４を備える。即ち、ステー３は、ピンジョイント２１、３４、３１及び５３を支点として回動するようにリンク機構として構成される。このステー３に吊り下げられるように、天板１の裏側に棚４が設けられ、ステー３と棚４はピンジョイント３１によって連結される。折畳みテーブルを立ち机として使用する時は、ステー３は真直ぐに突っ張ってケタ２と基脚５との間を直角に保持するように作用する。一方、折畳む時は、ステー３はピンジョイント３１、３４を中にして、ほぼくの字状に折れ曲がって棚４が天板１の裏面に近接し、同時に基脚５はピンジョイント５３を支点としてケタ２側へ折れ曲がる。
【００１７】
ステー３は、上リンク３０と先端の下リンク３２とからなり、下リンク３２が基脚５に溶接した固定板４９に強固に固着される。この固定板４９を基脚５の外周面に溶接するに際しては、基脚５の空洞の中を延長脚９がスライドするので内周面に溶接部が溶け込んで突起が生じないようにすることが大事である。この状態を拡大して図５に示し、下リンク３２の回動基準となるピンジョイント５３は長い軸部を有しないので、基脚５の中の空洞に突き出ることなく、固定板４９の板上に固設することができる。従って、折り畳みテーブルＤの高さを高くする際に、基脚５の空洞を上下する延長脚９の先端部スリットが通り抜けるのに障害になる箇所が無くなり、天板１の高さの調節範囲を拡大することができる。これらのことは実施例２についても同様である。
【００１８】
脚部を継ぎ足して延長する手段について、図２（ｂ）を参照しながら説明する。上方に基脚５側と下方に延長脚９側とを切り離して示し、上方の基脚５は、天板１の裏側へ折畳み、かつ、起立可能に設けられている。基脚５は中空角パイプ材からなり、この空洞部に一回り小さい中空角パイプ材からなる延長脚９を下方から挿入する。上方の基脚５の外周面には緩衝パッキン５４が装着され、中の空洞を延長脚９が貫通できるように、延長脚９の左右方向の外周面には、逃げとなるスリット９４を設けている。同図のＢ―Ｂ矢視断面の状態を同図（ｃ）に示す。このことについては他の実施例についても同様である。このスリット９４の下方に上から複数の穴９１が穿孔され、これらの穴は延長脚９を矢印Ｈ方向に移動させる際の多段階の固定位置となる。上方の基脚５の空洞部へ下方の延長脚９を嵌入した後に、外周の基脚５に内周の延長脚９を固定するために後述するロックピン６が設けられる。
【００１９】
折畳みテーブルＤを側方から見た図４（ａ）でも判るように、夫々延長脚９はロックピン６を介して夫々の基脚５の先端に継ぎ足し連結される。これらの延長脚９によって脚部の長さが伸縮され、本考案の折畳みテーブルＤの高さは７００、８００、９００、９５０、１０００、１０５０及び１１００ｍｍの７段階に調節することができる。従って、立ち机として、或いは座り机として使用することが可能であり、特に高さ８００ｍｍの場合は車椅子に座ったままで使えるので便利である。
【００２０】
これらの機構に加えて、折畳み机Ｄの天板１の下方を覆うために、前方に正面パネル７１と、左右端に側面パネル７５、７５を設ける。図６（ａ）に裏面から見た正面パネル７１を示し、正面パネル７１はほぼ矩形状の薄い木製の化粧板である。正面パネル７１の長辺は天板１の長辺より僅かに短く、短辺寸法は天板１の下方を覆うスペースによって決まる。正面パネル７１の左短辺に凸部７１３、７１３を備え、かつ、上方の長辺に沿って左右端近傍に係止具７１１、７１１を備え、下辺の左右端部にマグネット７１２、７１２を備える。係止具７１１の詳細を図６（ｂ）に示し、ほぼ円弧上の枠の上方に凹んだ係止部７１４を設ける。これ等の正面パネル７１の裏面上部を図２（ａ）及び図４（ｂ）に示す折畳み机Ｄの正面側から桁２の左右端近傍に設けた二箇所の掛け具２２、２２に、係止具７１１、７１１の凹んだ係止部７１４、７１４を合わせて掛ける。一方、正面パネル７１の裏面下部は、マグネット７１２、７１２が鉄製の延長脚９、９の下方近傍に磁力で吸着されることによって、正面パネル７１は折畳み机Ｄに正面側から装着され、正面脚部の上部を覆う。一方、図７（ａ）に裏面から見た側面パネル７５を示し、側面パネル７５はほぼ矩形状の薄い木製化粧板である。側面パネル７５の短辺は、天板１の短辺より僅かに短く、長辺は天板１の下方を覆う高さスペースによって決まる。側面パネル７５は上方の短辺の両端に係止具７５１、７５１を備え、下辺の左右端部近傍にマグネット７５２、７５２を備える。係止具７５１の詳細を図７（ｂ）に示し、凹んだ係止部７５４を設ける。また、左右の辺近傍に長穴７５３、７５３を夫々備える。この側面パネル７５の長穴７５３、７５３を、既に装着した正面パネル７１短辺の凸部７１３、７１３に合わせて凸凹を嵌合させる。同時に、前後の基脚５、５の上方の掛け具５９における先端の突起５９１、５９１（図５参照）に、側面パネル７５の係止具７５１、７５１における鍵状の係止部７５４、７５４を合わせて掛ける。側面パネル７５の裏面下部は、マグネット７５２、７５２が鉄製の延長脚９、９の下方近傍に磁力で吸着されることによって、側面パネル７５は折畳み机Ｄに側方から装着され、側面脚間の上部を覆う。
【００２１】
以上のように構成され、次に本実施の形態にかかわる高さ調節可能な折畳みテーブルの組み立ておよび収納或いは本考案を構成する部材の作用ついて説明する。
【００２２】
外側の基脚５の内周面を延長脚９が摺動可能にするために、基脚５における空洞の内辺と延長脚９の外辺との間に間隙を設ける。本実施例の中空角パイプ材からなる基脚５の外辺寸法は２６ｍｍ、肉厚が１．２ｍｍの場合、内側の中空角パイプ材からなる延長脚９の外辺寸法は２２ｍｍ、肉厚が１．６ｍｍである。或いは、中空角パイプ材からなる基脚５の外辺寸法は３２ｍｍ、肉厚が１６又は１．２ｍｍの場合、内側の中空角パイプ材からなる延長脚９の外辺寸法は２８ｍｍ、肉厚が１．６ｍｍである。内外脚間の隙間は、例えば片側間隙で０．８ｍｍとし、この程度の間隙であれば、内外脚の間で摩擦を生じたり摺れることなく延長脚９が容易に上下するが、内外脚の間隙のため”ガタつき”が生じて机全体が揺れるという問題がある。そこで、内外脚の間隙を減少させるために、中空角パイプからなる基脚５の外周側から内周側へ肉厚方向にプレスによって加圧することによって、基脚５の外周面に凹み５８を形成する。この凹み５８の軸方向長さは１２０〜２００ｍｍである。その結果、基脚５の内周面が空洞側へ窪むので、基脚５と延長脚９との片側間隙寸法が例えば前述の０．８ｍｍから０．５  ｍｍへと減少される。延長脚９を上下に摺動可能とするためには、この程度の片側間隙寸法は、きつ過ぎず、ゆる過ぎずの適正な間隙寸法であり、かつ、天板１の揺れを防ぐためには適正な間隙寸法である。この仕様に加えて、凹み５８の下方で基脚５の下方先端において、内外脚の隙間に樹脂製のスペーサＭを挿着する。このスペーサＭを挿着した外側から見た状態を図８（ａ）に示し、このＣ―Ｃ矢視断面を図８（ｂ）に示す。断面図のように、スペーサＭは細い板状体をほぼＬ字状に曲げて、基脚５の下方先端に設けた角状の穴９４に貫通して先端部を囲うように設けたので、Ｌ字型のスペーサＭは基脚５から外れ難い。種々の方法を試行錯誤の結果、以上のような樹脂製のスペーサを間隙に挿着させる方法に辿り着き、延長脚９と基脚５との間隙の”ガタつき”を減少させ、かつ、限りなく天板の揺れの少ない折畳みテーブルを実現させた。
【００２３】
以上述べた天板の揺れ防止対策に更に工夫を加え、図２（ａ）を参照しながら説明する。折畳みテーブルＤの前後方向は基脚に脚連結材５６、５６を架設し、かつ、同様に下方の延長脚９の前後方向に脚連結材９６、９６を架設する。これ等上下に脚連結材を架設することによって前後の脚部間はこれらの脚連結材によって補強されるので、天板１は前後に揺れない。更に、基脚５、５の脚連結材５６、５６に交差して左右方向の長い梁１０を架設する。この梁を架設することによって、折畳みテーブルの左右方向の脚部間隔寸法が大きいといいう弱点を解消し、天板の揺れを極小化した。本実施例の折畳みテーブルＤは、書類等を書く机として使用されることが多く、天板の揺れが無いので文字を書くうえで問題は無い。
【００２４】
最後に、延長脚を継ぎ足し連結する際に、固定するためのロックピンの作用について説明する。図２に示したロックピン６の詳細を図９に示し、図１０は図２におけるＡ−Ａ矢視断面で、外側の基脚５の空洞部へ延長脚９が嵌入され、その高さ位置決め前の状態を１０図（ａ）に示し、位置決め後の状態を１０図（ｂ）に示す。１０図（ａ）において、左方はロックピン６の長手方向断面図、右方に空洞部の脚部高さ方向断面を示す。図示のように、外側の基脚５の外周面にナット６９が溶接、固設されており、このナット６９に左方からロックピン６の先端のネジ６４を締め付けることによってロックピン６が基脚５に固設される。この時、ロックピン６のスパナ掛け６７（図９を参照）にスパナを嵌めてナット６９にきつく締め付けるので、緩むことなくロックピン６は基脚５に螺着される。ロックピン６は後述するスプリングに抗して伸長した状態にある。即ち、ノック棒６３ａの先端部は穴９１に挿入し易いようにテーパ部６３ｃを備え、外側の基脚５の穴５７を覗き、延長脚９の穴を貫通することなく境界面Ｐを境に左方の基部６１と右方の固着部６２とが突接した状態にある。詳しくは、矢印Ｅ−Ｅ矢視の図９（ｂ）に示した左方の基部６１先端面と、矢印Ｆ−Ｆ矢視の図９（ｃ）に示す右方のスパナ掛け６７先端面が突接している。この状態から、左方の基部６１を９０度回転させ、凹状の切欠き溝６８が右方の凸状のスパナ掛け６７に凸凹で噛み合う位置とする。この状態から、図１０（ｂ）に示すように、内側の延長脚９を矢印Ｈ方向に上げると、穴９１の位置でノック棒６３ａがスプリング６５の付勢力で右方に飛び出し穴９１を貫通する。このようにして、延長脚９の位置が決まり、この穴９１にノック棒６３ａが貫通した場合天板の高さが９５０ｍｍに固定される。高さを変えるときは、図１０（ａ）の状態まで左方の基部６１をスプリング６５に抗して伸長した状態に戻した後、延長脚９を矢印Ｈ方向に上げると穴９２、９３の位置でノック棒６３ａが右方に貫通して、夫々天板の高さが７段に位置決めされる。このように、延長脚９を矢印Ｈ方向に上げて穴９１、９２、９３がノック棒６３ａの位置に合うと付勢されたスプリング６５によってノック棒６３ａが夫々の穴に貫通して脚の長さが決まる。実際の作業の際は、天板の基脚側を下にして基脚５の空洞部へ、上方から延長脚９を挿入することにより、一人作業で脚の長さを調節することができる。スプリングの付勢力によってノック棒が延長脚の穴へ貫通するので、ロックピンのワンタッチ操作によって一人作業でも机の高さ調節をすることができる。
【００２５】
このような高さ調節の手順によって、多段階に折畳みテーブルＤの高さを調節できる。従って立ち机として、或いは座り机としての用途を拡大することができる。本実施例では、７段階の高さ調節を述べたが、延長脚を長くして、かつ、穴の数を増やして脚の長さを更に多段階に調節することも可能である。即ち、延長脚９にロックピン６を挿着する穴９１（図２参照）を追加、穿孔し、他の望む高さに調節することも可能である。以上、ロックピンについては他の実施例についても同様である。
【００２６】
以上のようにして天板に四本の脚が立設されると同時に天板の裏側に棚が設けられる。次に、完成した長机の天板の揺れ測定について図１５を参照しながら以下に説明する。折畳みテーブルには、テーブルに掛る静的水平力強度試験がＪＩＳ  Ｓ  １０３１（２００４）によって定められている。テーブルの高さが１０００ｍｍの場合について、以下のとおり水平方向の揺れを確認した。試験条件として、折畳みテーブルＤの天板１の上に合計１００Ｋｇの重りをほぼ等分布に載荷するとともに、脚部の先端部においてストッパＳ、Ｓによって延長脚９を左右から挟む。外内脚の隙間に本実施例のＬ字型のスペーサＭを挿着し、かつ、梁１０を設けた折畳みテーブルＤにおいて、天板１の長手方向に矢印Ｑ、Ｒのように夫々水平力３００Ｎを加える。試験結果は、矢印Ｑ、Ｒ方向で夫々変位が２６ｍｍ、２３ｍｍであった。因みに、梁１０を設けなかった場合矢印Ｑ、Ｒ方向で夫々変位が３７ｍ、２４ｍｍと大になり、梁１０の効果が証明された。以上の通り、本実施例による折畳みテーブルは、Ｌ字型のスペーサＭを外内脚の隙間に挿着することに加え、更に梁１０を設けたことによる相乗効果を確認できた。本実施例の折り畳みテーブルは税務署への確定申告の際等においてテーブルの天板における揺れがないのでテーブルの上で筆記作業をするにあたり支障はない。
【実施例２】
【００２７】
本実施例について、図１１、図１２を参照しながら説明する。図１１は、本実施例における高さ調節可能な折畳みテーブルの全体図で、脚部に幕板を装着する前の状態を正面側から見た全体斜視図である。図１２は、内外脚の隙間にスペーサを挿着した状態を示す一部斜視図及び一部断面図である。本実施例の実施例１との主たる相違点は、内外脚の隙間に挿着するスペーサの形状が異なるところにある。以下、実施例１と相違する箇所について主に説明する。
【００２８】
本実施例における高さ調節可能な折畳みテーブルの全体図を正面側から見た斜視図として図１１に示す。左右方向の延長脚９の左右方向外側面にスペーサＮが上下に複数個設けられており、図示しないが上方の基脚５の内にも設けられている。スペーサＮの装着状態を図１２（ａ）に拡大して示し、側面の延長脚９の外側面にスペーサＮが上下方向に複数個設けられ、図１２（ｂ）には、このＧ―Ｇ矢視断を示し、内外脚の隙間に樹脂製のスペーサＮが挿着されている。このスペーサＮは樹脂製で円盤状のボタン型で、延長脚９の断面を貫通して装着されている。試行錯誤の結果、以上のように延長脚９の上下方向に長く複数個のスペーサを並べたので、延長脚９と基脚５との間で長い軸方向の隙間を減少させて“ガタつき”が少なく、かつ、限りなく天板の揺れの少ない折畳みテーブルを実現させた。なお、スペーサＮは延長脚９から外れることの無いように先端に裏側に楔Ｎ１を備える。スペーサＮはボタン状の他に、例えば長さ１６０ｍｍの薄板状の長尺物で、裏側に同様に楔Ｎ１を複数個所設けた物を使用してもよい。そして、この長尺のスペーサを延長脚９の長手上下方向に例えば３個並べるような使い方をしてもよい。
【００２９】
本実施例２の揺れの試験結果は以下の通りである。試験条件は実施例１と同じで、テーブルの高さは１０００ｍｍである。外内脚の隙間に本実施例のボタン型のスペーサＮを挿着し、かつ、折畳みテーブルの長手方向に梁１０を設けた場合、矢印Ｑ、Ｒ方向で夫々変位が２６ｍｍ、１７ｍｍであった。ちなみに、梁１０を設けなかった場合矢印Ｑ、Ｒ方向で夫々変位が４１ｍ、２７ｍｍと大になり、梁１０の効果が証明された。以上の通り、本実施例による折畳みテーブルは、ボタン型のスペーサＮを外内脚の隙間にスペーサを複数個挿着することに加え、更に梁１０を設けたことによる相乗効果を確認できた。
【実施例３】
【００３０】
本実施例について、図１３、図１４を参照しながら説明する。図１３は、本実施例における折畳みテーブルを天板表側から見た一部断面図である。図１４は、棚を折畳みテーブル本体に取付ける状態を示す一部斜視図である。本実施例の実施例１との主たる相違点は、天板の裏側の棚の仕様が異なる所にあり、ステーに巻きバネを採用したところにある。以下、実施例１と相違する箇所について主に説明する。
【００３１】
折畳みテーブルを天板表側から見た一部断面を図１３に示す。前後のステー８、８は、ピンジョイント８５、８５によって折畳みテーブル本体の横桁２１に回動自在に連結される。以下、棚４をリンク機構によって横桁２１に連結する構造の詳細を図１４に示す。リンク結合のため、くの字に曲がるステー８の一端は折畳みテーブル本体の横桁２１にリンク連結され、ステー８の他端は基脚５の脚連結材５６にリンク連結される。そして、棚４がステー８の他端にリンク連結され、基脚５がピンジョイント５２を支点として回動するに伴い、棚４が天板１とは間隔を開けて形成される。図１４は、リンク機構を理解できるように桁２の上面の天板１を省ほぼしたものであり、図（ａ）は下側から見た基脚を立てる途中の斜視図、図（ｂ）は天板側からみた平面図、そして、図（ｃ）は基脚を立てる状態を示す斜視図である。詳しくはこれ等の図は、天板１の裏側に折り畳んだ基脚５を拡げながら立設させるとともに、折り畳まれて天板１の裏面に密着した棚４を下方に下げて棚の空間を設ける状態を示す。ステー８の上リンク８１の上端は天板１の裏側の横ケタ２１に設けたピンジョイント８５を介して回動自在にリンク連結され、上リンク８１の他端は下リンク８２とピンジョイント８６を介して回動自在にリンク連結され、下リンク８２の他端は基脚５側の脚連結材５６に設けたピンジョイント８７に回動自在にリンク連結されている。そして、前後のステー８、８の下リンク８２、８２は横リンク８３によって連結され、この横リンク８３に棚４が軸受４２を介して支持されている。なお、上リンク８１と下リンク８２とは、ピンジョイント８６を介して回転自在に巻きバネ８４によって引っ張られている。脚部を曲げた状態から開いて立脚する時に、巻きバネ８４によって手をかけることなくワンタッチで桁２と基脚５との開き角度を直角に固定でき、しかも巻きバネ８４によってロックがかかるので戻らない。巻きバネ８４によって四本の脚は、立脚状態から曲りの状態に戻ることが無いので安全である。即ち、上リンク８１と下リンク８２とが巻きバネ８４の力で真直状態に保つことができるのでロックがかかって曲りの状態に戻ることがない。
【００３２】
上述の通り４本の基脚５と天板の裏側の棚４は、ステー８を介してリンク機構によって折り畳み自在に連結されており、基脚５を立てるとともに棚４が天板の裏側に形成される状態を以下に説明する。図１４（ａ）に示すように、先ず天板１の裏側の横ケタ２１に設けたピンジョイント８５を回動の中心として、天板１の裏側に折り畳まれていた基脚５を矢印Ｈの方向に回動する。ステー８の上リンク８１はピンジョイント８５に回転自在に連結され、上リンク８１の他端は下リンク８２とピンジョイント８６を介して回動自在に連結され、下リンク８２の他端は基脚５側の脚連結材５６に設けたピンジョイント８７を介して回動自在に連結されている。従って、基脚５を矢印Ｈの方向に回動すると、ステー８はピンジョイント８５を回転の中心として“くの字”状にまがった状態から巻きバネ８４の戻す力に対抗するように真っすぐ伸びる。そして遂には、図１４（ｃ）に示すようにステー８はピンジョイント８６の部位でリンク８１とリンク８２は真っ直ぐ伸びる。同時に、前後のステー８、８を連結する横リンク８３が長四角の空洞を有する軸受４２をスライドしながら棚４が下がり天板１の裏側に空間が形成される。脚部を折り畳む際は、巻きバネ８４の戻す力によってステー８を介して基脚８は天板の下方に引っ張られながら折れ曲る。
【産業上の利用可能性】
【００３３】
なお、本考案の高さ調節可能な折畳みテーブルの使途は、事務所や店頭のカウンター等で使用する立ち机の他、デパート、スーパーマーケット等の店頭で、商品を陳列する棚として使用することもできる。この場合、本考案の折畳みテーブルは高さを調節可能なので、前から後へ段々に高くした雛壇として使用することもできる。
【図面の簡単な説明】
【００３４】
【図１】本考案の実施例１における高さ調節可能な折畳みテーブルの全体図で、脚部に幕板を装着した状態を示す折畳みテーブルの全体斜視図である。
【図２】同上、脚部から幕板を取り外した状態を示す折畳みテーブルを正面側から見た状態を示す全体斜視図及び基脚に延長脚を継ぎ足す状態を示す一部斜視図及び緩衝パッキンの取り付け状態を示す一部断面図である。
【図３】同上、天板表側から見た一部断面図である。
【図４】同上、側面側から見た斜視図及び棚の取付け状態を示す一部斜視図である。
【図５】同上、基脚に側面幕板を装着するための係止具を示す一部拡大斜視図である。
【図６】同上、正面幕板の裏面を示す斜視図及び一部拡大図である。
【図７】同上、側面幕板の裏面を示す斜視図及び一部拡大図である。
【図８】同上、内外脚の隙間にスペーサを挿着した状態を示す一部斜視図及び一部断面図である。
【図９】同上、ロックピンの詳細を示す部品図である。
【図１０】同上、ロックピンの作用を示す説明図である。
【図１１】本考案の実施例２における高さ調節可能な折畳みテーブルの全体図で、脚部に幕板を装着する前の状態を正面側から見た折畳みテーブルの全体斜視図である。
【図１２】同上、内外脚の隙間にスペーサを挿着した状態を示す一部斜視図及び一部断面図である。
【図１３】本考案の実施例３における折畳みテーブルを天板表側から見た一部断面図である。
【図１４】同上、棚を取付ける状態を示す一部斜視図である。
【図１５】折畳みテーブルの天板の揺れを測定する静的水平力強度試験の要領を説明する図である。
【符号の説明】
【００３５】
Ａ、Ｂ、Ｃ、Ｅ、Ｆ、Ｇ、Ｈ、Ｋ、Ｑ、Ｒ  矢印
Ｄ  折畳みテーブル
Ｇ１、Ｇ２  間隙
Ｍ、Ｎ  スペーサ
Ｗ  重り、Ｓ  ストッパ
１  天板
２  桁、２１  横桁、２２  掛け具、２３  ピンジョイント
３  ステー  、３１  上リンク、３２  下リンク、３３  横ステー
３１、３４、  ピンジョイント
４  棚、４１  側棒、４２  軸受、４９  固定板
５  基脚
５１  コの字部品、５２  ピンジョイント、５４  緩衝パッキン
５５  幕板止め金具、５５１  フック
５６  脚連結材、５７  穴、５８  凹み
５９  掛け具、５９１  突起
６  ロックピン
６１  基部、６２  固着部
６３ａ  ノック棒、６３ｂ  ノック棒基部、６３ｃ  テーパ部
６４  ネジ、６５  スプリング、６６  止めネジ、６７  スパナ掛け
６８  切欠き溝、６９  ナット
７１  正面幕板
７１１  係止具、７１２  マグネット、７１３  凸部、７１４  係止部
７５  側面幕板
７５１  係止具、７５２  マグネット、７５３  長穴、７５４  係止部
８  ステー、８１  上リンク、８２  下リンク、８３  横リンク
８４  巻バネ、８５、８６、８７  ピンジョイント
９  延長脚
９１  穴、９４  角穴、９６  脚連結材、９７  アジャストボルト、９８  穴
１０  梁
【図１】
0003159914.tif 000003
【図２】
0003159914.tif 000004
【図３】
0003159914.tif 000005
【図４】
0003159914.tif 000006
【図５】
0003159914.tif 000007
【図６】
0003159914.tif 000008
【図７】
0003159914.tif 000009
【図８】
0003159914.tif 000010
【図９】
0003159914.tif 000011
【図１０】
0003159914.tif 000012
【図１１】
0003159914.tif 000013
【図１２】
0003159914.tif 000014
【図１３】
0003159914.tif 000015
【図１４】
0003159914.tif 000016
【図１５】
0003159914.tif 000017